(57)【要約】【課題】臀部カバー部を有する使い捨てのパンツ型おむつの提供。【解決手段】使い捨てのパンツ型おむつ１０が前パネル１３と、後パネル１４と、股下パネル１２とを有する。後パネル１４は、前パネル１３よりも下方へ延びていて横方向Ｂへ伸長状態で延びる弾性部材を含むことのない臀部カバー部４０を有する。股下パネル１２は、それに含まれる芯材の質量が前パネル１３と臀部カバー部４０とによって支えられるように、前端部が前パネル１３に接合し、後端部が臀部カバー部４０に接合している。【選択図】図１
2015066356.tif 000002
【特許請求の範囲】
【請求項１】
前胴回り域を形成する前パネルと、後胴回り域を形成する後パネルと、股下域を形成し体液吸収性の芯材を含む股下パネルとを有する使い捨てのパンツ型おむつであって、
前記後パネルは、前記おむつの横方向において、両側部それぞれが前記前パネルの両側部それぞれに接合するとともに、前記おむつの上下方向において、前記前パネルよりもさらに下方へ延びていて前記横方向へ伸長状態で延びる糸状の弾性部材を含むことのない臀部カバー部を有し、
前記上下方向において、前記股下パネルは、前記芯材の質量が前記前パネルと前記臀部カバー部とによって支えられるように前端部が前記前パネルに接合し後端部が前記臀部カバー部に接合していることを特徴とする前記おむつ。
【請求項２】
前記後パネルは、前記両側部が前記前パネルに接合している主要部と前記臀部カバー部とを有し、前記弾性部材を挟んで前記おむつの内側と外側とにあって前記主要部を形成しているシート片のうちの前記内側または前記外側にある前記シート片が前記下方へ延びることによって前記臀部カバー部を形成している請求項１記載のおむつ。
【請求項３】
前記シート片が不織布、プラスチックフィルムおよび不織布とプラスチックフィルムとの積層シートのいずれかで形成されている請求項２記載のおむつ。
【請求項４】
前記後パネルは前記両側部が前記前パネルに接合している主要部と前記臀部カバー部とを有し、前記主要部とは別体である不織布、プラスチックフィルムおよび不織布とプラスチックフィルムとの積層シートのいずれかのシート片が前記主要部に接合することにより前記臀部カバー部を形成している請求項１記載のおむつ。
【請求項５】
前記臀部カバー部は、前記主要部の前記両側部に届くように前記横方向へ延びている請求項１−４のいずれかに記載のおむつ。
【請求項６】
前記臀部カバー部は、前記後パネルの前記両側部間の寸法を二等分する中心線を挟んで離間対向するように二分されている請求項１−４のいずれかに記載のおむつ。
【請求項７】
前記おむつの前記上下方向において、前記股下パネルは前記臀部カバー部に接合している前記後端部を越えて前記上方向へ延びていて、前記臀部カバー部に接合する下方接合部と前記主要部に接合する上方接合部とを有し、前記後パネル上における前記下方接合部と前記上方接合部との離間距離よりも、前記股下パネル上における前記下方接合部と前記上方接合部との離間距離の方が長くて前記股下パネルの前記下方接合部と前記上方接合部との間にはたるみが生じている請求項１−６のいずれかに記載のおむつ。
【請求項８】
前記臀部カバー部が弾性的な伸長性を有するシート片によって形成されている請求項１−７のいずれかに記載のおむつ。
【請求項９】
前記主要部は、前記臀部カバー部を形成している前記シート片と重なる部位に前記横方向へ伸長された状態の弾性部材を有する請求項１−７のいずれかに記載のおむつ。
【請求項１０】
前記股下パネルは前記横方向の両側部分に防漏堤を有し、前記防漏堤は前記前パネルから前記股下域を経て前記後パネルにまで延びていて、前記前パネルに重なる前端部と前記後パネルに重なる後端部とを有し、前記後端部は、前記おむつの上下方向において、前記臀部カバー部の下端縁よりも上方で前記股下パネルの内面および前記後パネルの内面のいずれかに固定されている請求項１−９のいずれかに記載のおむつ。
【発明の詳細な説明】
【技術分野】
【０００１】
この発明は、使い捨てのパンツ型おむつに関する。
【背景技術】
【０００２】
使い捨てのパンツ型おむつの前胴回り域を形成している前パネルと後胴回り域を形成している後パネルと股下域を形成している股下パネルとを有するものは、周知でもあり公知でもある。また、おむつの上下方向において、後パネルが前パネルよりも下方に向かって長く延びていて、その長く延びている部分がおむつ着用者の臀部の一部分を覆う臀部カバー部として使用されているものも周知であり公知でもある。
【０００３】
例えば、特表２００８−５０８０８２号公報（特許文献１）に記載の使い捨てプルオン衣類の一例はプルオンおむつであって、そのおむつは環状弾性ベルトを有し、その環状弾性ベルトが前ベルト部分と後ベルト部分とを備えている。後ベルト部分におけるサイドパネルの縦方向の長さは、前ベルト部分の対応するサイドパネルの縦方向の長さよりも長くなるように作られている。前ベルト部分と後ベルト部分との間には吸収性コアを含む矩形の吸収性本体が延びていて、吸収体本体の両端部それぞれは、前ベルト部分と後ベルト部分とに取り付けられている。後ベルト部分は、吸収性本体の両側に臀部カバーを形成している。臀部カバーは、おむつの横方向へ伸長状態で延びる弾性部材を含んでいる。
【０００４】
特開２００８−１６１５７２号公報（特許文献２）に記載の紙おむつはパンツ型のものであって、腹側外装シートと背側外装シートとを有し、背側から股間部を通り腹側までを覆う吸収性本体の前端部が腹側外装シートの幅方向中央部内面に連結され、後端部が背側外装シートの幅方向中央部内面に接合されている。背側外装シートは本体部と、本体部の下側に延出する延出部とを有している。延出部は、吸収性本体と重なる幅方向中央部と、中央部の両側から延出している臀部カバー部とを有する。臀部カバー部には、おむつの横方向へ延びる複数条の弾性部材が伸長状態で取り付けられている。
【先行技術文献】
【特許文献】
【０００５】
【特許文献１】特表２００８−５０８０８２号公報
【特許文献２】特開２００８−１６１５７２号公報
【発明の概要】
【発明が解決しようとする課題】
【０００６】
従来の使い捨てのパンツ型おむつでは、臀部カバー部に対しておむつ横方向へ延びる複数条の弾性部材を伸長状態で取り付けることによって、おむつが着用状態にあるときの臀部カバー部を横方向に収縮させ、多数のギャザーが横方向に並ぶものに仕立てている。その臀部カバー部の外観は、通常であれば横方向に並ぶギャザーの形成されることのない股下パネルの外観とは異質なものである。
【０００７】
この発明が課題とするところは臀部カバー部にギャザーが形成されていることがないか、ギャザーが殆ど形成されることがなく、臀部カバー部と股下パネルとの外観を近似させることのできる使い捨てのパンツ型おむつの提供である。
【課題を解決するための手段】
【０００８】
前記課題を解決するために、この発明が対象とするのは、前胴回り域を形成する前パネルと、後胴回り域を形成する後パネルと、股下域を形成し体液吸収性の芯材を含む股下パネルとを有する使い捨てのパンツ型おむつである。
【０００９】
この使い捨てのパンツ型おむつが特徴とするところは、以下のとおりである。前記後パネルは、前記おむつの横方向において、両側部それぞれが前記前パネルの両側部それぞれに接合するとともに、前記おむつの上下方向において、前記前パネルよりもさらに下方へ延びていて前記横方向へ伸長状態で延びる糸状の弾性部材を含むことのない臀部カバー部を有する。前記上下方向において、前記股下パネルは、前記芯材の質量が前記前パネルと前記臀部カバー部とによって支えられるように、前端部が前記前パネルに接合し後端部が前記臀部カバー部に接合している。
【発明の効果】
【００１０】
この発明に係る使い捨てのパンツ型おむつの臀部カバー部は、横方向へ伸長状態で延びる弾性部材を含むことがないもので、おむつの上下方向において股下パネルの芯材の質量を前パネルとともに支えている。このような臀部カバーは、それに含まれる弾性部材によっておむつの横方向へ並ぶギャザーが形成されるということがなく、また、股下パネルの芯材の質量支えることによって臀部カバーにはそれを下方向へ引っ張る力が作用する。それゆえ、臀部カバーの外観は、横方向へ並ぶギャザーの形成されていない股下パネルと同様に外面が滑らかなものになる。
【図面の簡単な説明】
【００１１】
図面は、この発明の特定の実施の形態を示し、発明の不可欠な構成ばかりでなく、選択的および好ましい実施の形態をも含む。
【図１】この発明に係る使い捨てのパンツ型おむつの斜視図。
【図２】図１のおむつから得られる伸展おむつの部分破断平面図。
【図３】図２のＩＩＩ−ＩＩＩ線断面図。
【図４】実施態様の一例を示す図２と同様な図。
【図５】実施態様の一例を示す図４と同様な図。
【図６】実施態様の一例を示す図４と同様な伸展おむつの部分図。
【図７】実施態様の一例を示す図６と同様な図。
【図８】実施態様の一例を示す図６と同様な図。
【図９】実施態様の一例を示す図４と同様な図。
【発明を実施するための形態】
【００１２】
添付の図面を参照して、この発明に係る使い捨てのパンツ型おむつの詳細を説明すると、以下のとおりである。
【００１３】
図１は、使い捨てのパンツ型おむつの一例であるおむつ１０の斜視図である。おむつ１０は、環状の弾性ウエストパネル１１と、股下パネル１２とを有する。弾性ウエストパネル１１は、前胴回り域７を形成する前パネル１３と、後胴回り域８を形成する後パネル１４とを含んでいて、これら両パネル１３，１４が互いの両側縁部１３ａ，１４ａにおいて重なり合い、後記縦方向Ａに並ぶ多数の接合域１５において接合している。前パネル１３と後パネル１４とによって胴回り開口１６が画成され、これらパネル１３，１４と股下パネル１２とによって一対の脚回り開口１７が画成されている。股下パネル１２は、その一部分が股下域９を形成している（図２参照）。図には、おむつ１０の縦方向と横方向と前後方向とが双頭矢印Ａ，Ｂ，Ｃで示されている。
【００１４】
図２は、図１のおむつ１０において、接合域１５での前パネル１３と後パネル１４との接合を解いて、これらパネル１３，１４と股下パネル１２とを平面状に伸展して得られる伸展おむつ１０ａの部分破断平面図である。
【００１５】
伸展おむつ１０ａにおいて、前パネル１３は、互いに重なり合う内面シート２１と外面シート２２との間に横方向Ｂへ互いに平行して伸長状態で延びる複数条の弾性部材２３を介在させることにより形成されている。内面シート２１と外面シート２２とはホットメルト接着剤（図示せず）を介して互いに接合し、弾性部材２３は内外面シート２１，２２のうちの少なくとも一方にホットメルト接着剤（図示せず）を介して接合している。前パネル１３は、上端縁２６と、下端縁２７と、両側縁１３ｂとを有し、上端縁２６と下端縁２７とが横方向Ｂに寸法ＬＦを有している。両側縁部１３ｂは、前後方向Ｃ（図１参照）に寸法ＷＦを有している。
【００１６】
後パネル１４は、互いに重なり合う内面シート３１と外面シート３２との間に横方向Ｂへ互いに平行して伸長状態で延びる複数条の弾性部材３３を介在させることにより形成された主要域３５と、主要域３５の下方にあって内面シート３１と外面シート３２とを含むが伸長状態の弾性部材３３を含むことのない臀部カバー部４０とを有する。内面シート３１と外面シート３２とはホットメルト接着剤（図示せず）を介して互いに接合し、弾性部材３３は、内外面シート３１，３２のうちの少なくとも一方にホットメルト接着剤（図示せず）を介して接合している。後パネル１４は、上端縁３６と、下端縁３７と、両側縁１４ｂとを有し、上端縁３６と下端縁３７とが横方向Ｂに寸法ＬＲを有している。両側縁１４ｂは、前後方向Ｃに寸法ＷＲを有している。寸法ＬＲは前パネル１３の寸法ＬＦに等しい。寸法ＷＲのうちで、主要域３５の寸法はＷ１であり、臀部カバー部４０の寸法はＷ２であって、寸法Ｗ１は前パネル１３における寸法ＷＦに等しい。したがって、図１のおむつ１０の後パネル１４は、寸法Ｗ１を有する主要域３５が前パネル１３と重なり合い、寸法Ｗ２を有する臀部カバー部４０が前パネル１３の下端縁２７よりも下方に位置している。
【００１７】
股下パネル１２は、前端部４１と後端部４２とを有し、前端部４１が前パネル１３の内面にホットメルト接着剤４３を介して接合している。後端部４２は、後パネル１４のうちの臀部カバー部４０の内面にホットメルト接着剤４４を介して接合している。股下パネル１２はまた、前後方向Ｃへ延びる両側縁部４６と、両側縁部４６それぞれに沿って延びる一対の防漏堤４７とを有する。防漏堤４７は、側縁部４６から伸展おむつ１０ａの中心線Ｐに向かって広がる下堤部分４８と下堤部分４８の内縁４８ａにおいて折り返されている上堤部分４９を含み、上堤部分４９には前後方向Ｃへ延びる弾性部材４９ａが伸長状態で取り付けられている（図３を併せて参照）。前パネル１３において、下堤部分４８は、ホットメルト接着剤５１を介して股下パネル１２の後記内面シート５０に接合し、上堤部分４９はホットメルト接着剤５２を介して下堤部分４８に接合している。ホットメルト接着剤５１，５２とのうちの少なくともホットメルト接着剤５２は、ホットメルト接着剤４３の塗布範囲のうちの下縁部分４３ａよりも縦方向Ａの上方に位置するように、図２では前後方向Ｃの前方に位置するように塗布されている。後パネル１４において、下堤部分４８はホットメルト接着剤５３を介して股下パネル１２の内面シート５０に接合し、上堤部分４９はホットメルト接着剤５４を介して下堤部分４８に接合している。ホットメルト接着剤５３と５４とのうちの少なくともホットメルト接着剤５４は、ホットメルト接着剤４４の塗布範囲のうちの下縁部分４４ａよりも縦方向Ａの上方に位置するように塗布されている。
【００１８】
このように股下パネル１２の後端部４２は、防漏堤４７を含めて、後パネル１４の下端縁３７よりも上方で後パネル１４に固定されている。したがって、股下パネル１２の後端部４２のうちで防漏堤４７の上堤部分４９が下堤部分４８に接合しているのは、下端縁３７よりも上方に位置している部分の下堤部分４８である。なお、防漏堤４７は、上堤部分４９の一部を後パネル１４に接合したり、下堤部分４８と上堤部分４９とを後パネル１４に接合したりすることができる。このような接合状態にある防漏堤４７は、弾性ウエストパネル１１を摘んでおむつ１０を身体に沿って引き上げるときに、その弾性ウエストパネル１１と一体になって引き上げられ易く、おむつ１０は着用し易いものになる。
【００１９】
図３は、図２における股下域９において股下パネル１２を横断しているＩＩＩ−ＩＩＩ線断面図である。股下パネル１２は、粉砕パルプや粉砕パルプと高吸水性ポリマー粒子との混合物等で形成された吸水性材料５６をティッシュペーパ等の透液性シートで形成されたラッピングシート５７で被覆したものである吸収体５５と、透液性の不織布等で形成されていて吸収体５５の表面のうちの少なくとも内面を被覆している内面シート５０と、不透液性のプラスチックフィルム等で形成されていて吸収体５５の外面を被覆している不透液性の防漏シート５８と、肌触りのよい不織布等で形成されていて防漏シート５８の外面を被覆している外装シート５９とを有する。吸収体５５はホットメルト接着剤（図示せず）を介して内面シート５０と防漏シート５８とに接合し、防漏シート５８と外装シート５９とはホットメルト接着剤６１を介して接合している。内面シート５０と防漏シート５８とは、吸収体５５の周縁から延出して互いに重なり合い、ホットメルト接着剤６１を介して接合している。股下パネル１２の側縁部４６では、不織布で形成された防漏堤４７の下堤部分４８が外装シート５９と重なり合い、ホットメルト接着剤６１を介して互いに接合している。互いに接合している下堤部分４８と外装シート５９との間には、脚回り弾性部材６２が介在し、前後方向Ｃへ伸長された状態で下堤部分４８と外装シート５９とのうちの少なくとも一方に接合している。おむつ１０が図１の状態にあるときや着用状態にあるときの防漏堤４７では、上堤部分４９における弾性部材４９ａが収縮することにより、図２，３において折り重ねられた状態にある下堤部分４８と上堤部分４９とが図３に仮想線で示されているように図の上方に向かって、すなわちおむつ１０の内側に向かって立ち上がり、体液の横漏れを防ぐように作用する。
【００２０】
このように形成されているおむつ１０が図１の状態や着用された状態にあるときには、前パネル１３と後パネル１４における主要域３５とには、横方向Ｂへ延びる糸状の弾性部材２３，３３の収縮によって横方向Ｂへ並ぶギャザー６６，６７が生じる。しかし、後パネル１４における臀部カバー部４０は、伸長状態にある糸状の弾性部材を含まないことによってギャザーを生じることがない。但し、臀部カバー部４０には、主要域３５に生じたギャザーの影響で僅かな数のギャザーを生じることがある。また、臀部カバー部４０には股下パネル１２の後端部４２が接合し、股下パネル１２の質量は、前パネル１３と臀部カバー部４０とによって支えられている状態にあるから、臀部カバー部４０には、それを縦方向Ａの下方に向かって引っ張る力が作用している。このような状態にある臀部カバー部４０の外観は、横方向Ｂへ並ぶギャザーが全く形成されていないか、殆ど形成されていない股下パネル１２における股下域９の外観に近似しているから、互いに部分的に重なり合う臀部カバー部４０と股下域９とは、後パネル１４の下端部分を横方向Ｂの全体にわたって滑らかな外観にすることができる。
【００２１】
おむつ１０において、前パネル１３と後パネル１４とにおける内面シート２１と外面シート２２とには、１−７ｄｔｅｘの繊度を有する熱可塑性合成繊維で形成され、７−２０ｇ／ｍ２の単位面積当たりの質量を有する不織布、例えばスパンボンド不織布やスパンボンド−メルトブローン−スパンボンド不織布等を使用することができる。前パネル１３と後パネル１４とにおいて、内面シート２１は同じ不織布で形成されていてもよいし、異なる不織布で形成されていてもよい。外面シート２２も同じ不織布で形成されていてもよいし、異なる不織布で形成されていてもよい。内面シート２１および／または外面シート２２は、ウレタン弾性糸等の弾性糸を含み、弾性的に伸長可能なシートであってもよい。弾性部材２３，３３には、例えば５００−７００ｄｔｅｘのライクラ（登録商標）を２−３倍に伸長して使用することができる。
【００２２】
股下パネル１２において、内面シート５０には、１−５ｄｔｅｘの繊度と、７−３５ｇ／ｍ２の単位面積当たりの質量とを有する熱可塑性合成繊維の不織布、例えばスパンボンド不織布やエアスルー不織布を、必要ならば親水化処理を施して使用することができる。外装シート５９には、１−７ｄｔｅｘの繊度と１０−３０ｇ／ｍ２の単位面積当たりの質量とを有する不織布、例えばスパンボンド不織布やスパンボンド−メルトブローン−スパンボンド不織布を使用することができる。防漏シート５８には、例えば０．０１−０．０３ｍｍの厚さを有するプラスチックフィルム、より好ましくは通気不透液性のプラスチックフィルムを使用することができる。弾性部材４９ａ，６２には、５００−７００ｄｔｅｘのライクラ（登録商標）を２−３倍に伸長して使用することができる。
【００２３】
図１のおむつ１０において、臀部カバー部４０は、内面シート２１と外面シート２２とによって形成されているものであったが（図２参照）、臀部カバー部４０は、内面シート２１と外面シート２２とのうちのいずれか一方のみで形成されていてもよいものである。また、内面シート２１と外面シート２２とが単位面積当たりの質量の異なるものである場合には、単位面積当たりの質量の大きい方のシートを主要域３５から下方へ延出させて臀部カバー部４０を形成することが好ましい。内面シート２１および／または外面シート２２は、２枚の不織布を重ね合わせた積層シートや不織布とプラスチックフィルムとを重ね合わせた積層シートで作ることのできるものであるが、臀部カバー部４０もまた、そのような積層シートで作ることができる。
【００２４】
図４は、図１のおむつ１０とは異なる態様のものを得るための伸展おむつ１０ａの模式図である。ただし、図４において、股下パネル１２における防漏堤４７の図示は省略されている。この伸展おむつ１０ａでは、後パネル１４における主要域３５と臀部カバー部４０とが別体の第１，第２部材７１，７２で形成されていて、第１，第２部材７１，７２が互いに重なり合う部位７３において接着または溶着によって接合している。主要域３５を形成している第１部材７１は、図２の主要域３５を形成している材料と同じ材料を使用したもので、第１部材７１の構造は図２の主要域３５の構造と同じである。臀部カバー部４０は、図２の臀部カバー部４０を形成している内面シート２１や外面シート２２と同じもので作ることができる他に、図２の内面シート２１および外面シート２２とは異なる厚さや単位面積当たりの質量を有する不織布で作ることもできる。また、図２の内面シート２１や外面シート２２において使用している熱可塑性合成樹脂とは種類の異なる熱可塑性合成樹脂を使用した不織布で作ることもできる。例えば、臀部カバー部４０は、ウレタン弾性糸を含む弾性シートによって作ることもできる。臀部カバー部４０が弾性シートで作られている場合のおむつ１０では、包装された状態にあっても、着用された状態にあっても、臀部カバー部４０には折り癖がつきにくく、おむつ１０の外観を良好に保つことができる。図の臀部カバー部４０は、図示の仮想線７４に沿ってその一部分７６を切り落とし、臀部カバー部４０の形状を変えることができる。
【００２５】
図５もまた、伸展おむつ１０ａの一例を示す図４と同様な図である。この伸展おむつ１０ａでは、第１部材７１と第２部材７２とが重なり合う部位７３において、主要域３５が弾性部材３３を含んでいる。
【００２６】
図６もまた、伸展おむつ１０ａの一例を示す模式図であるが、伸展おむつ１０ａはその一部分のみが示されている。図２，４の伸展おむつ１０ａにおいて、後パネル１４における主要域３５と臀部カバー部４０とは、横方向Ｂの寸法が同じものであったが、図６の伸展おむつ１０ａでは、主要域３５の横方向の寸法ＬＲに比べて、臀部カバー部４０の横方向の寸法ＬＣが小さくなっている。臀部カバー部４０は、カバーすべき臀部の大きさを考慮して、寸法Ｌｃを適宜の大きさにすることができる。
【００２７】
図７もまた、伸展おむつ１０ａの一例を示す図７と同様な図である。この伸展おむつ１０ａは、臀部カバー部４０が中心線Ｐを挟んで離間対向するように横方向において二分されていて、右臀部カバー部４０Ｒと左臀部カバー部４０Ｌとを有する。ここでいう右と左とは、おむつ１０が着用されたときの着用者（図示せず）にとっての右と左とを意味している。股下パネル１２は、右臀部カバー部４０Ｒと左臀部カバー部４０Ｌとにまたがるように形成されていて、右臀部カバー部４０Ｒと左臀部カバー部４０Ｌとに対してホットメルト接着剤４４を介して接合する下方接合域７７を有する。股下パネル１２はまた、臀部カバー部４０Ｒ，４０Ｌよりも上方へ延びる延長部７９を有し、延長部７９はその上端部分に形成された上方接合域８１においてホットメルト接着剤４４を介して主要域３５に接合している。後パネル１３上における下方接合域７７と上方接合域８１との離間距離Ｍ１に対して股下パネル１２上における下方接合域７７と上方接合域８１との離間距離Ｍ２は大きく、股下パネル１２の延長部７９にはたるみが生じている。それゆえ、股下パネル１２における吸収体５５（図３参照）の質量は、図１のおむつ１０と同様に前パネル１３と臀部カバー部４０とによって支えられる。延長部７９にそのようなたるみを作るには、股下パネル１２として、延長部７９にＺ字型の折り重ね部位を有し、その折り重ね部位が縦方向Ａへ伸展可能であるものを使用すればよい。
【００２８】
図８は、実施態様の一例を示す図７と同様な図であって、股下パネル１２は下方接合域７７と上方接合域８１とを有するが、臀部カバー部４０は、図４のそれと同様に作られていて、横方向Ｂの寸法ＬＣが主要域３５における寸法ＬＲに同じである。図８の伸展おむつ１０ａから得られるおむつ１０においても、吸収体（図３参照）の質量は臀部カバー部４０と前パネル１３とによって支えられる。
【００２９】
図９もまた実施態様の一例を示す図４と同様な図である。ただし、図９における伸展おむつ１０ａでは、股下パネル１２の外面の所要部位にメカニカルファスナのフック部材８２が取り付けられる一方、前パネル１３と臀部カバー部４０の所要部位には、フック部材の相手方となるループ部材８３が取り付けられている。股下パネル１２は、これらの部材８２，８３を使用することによって、前パネル１３と臀部カバー部４０とに着脱することができる。
【００３０】
以上に記載したこの発明に関する開示は、少なくとも下記事項に整理することができる。
【００３１】
前胴回り域を形成する前パネルと、後胴回り域を形成する後パネルと、股下域を形成し体液吸収性の芯材を含む股下パネルとを有する使い捨てのパンツ型おむつであって、前記後パネルは、前記おむつの横方向において、両側部それぞれが前記前パネルの両側部それぞれに接合するとともに、前記おむつの上下方向において、前記前パネルよりもさらに下方へ延びていて前記横方向へ伸長状態で延びる糸状の弾性部材を含むことのない臀部カバー部を有し、前記上下方向において、前記股下パネルは、前記芯材の質量が前記前パネルと前記臀部カバー部とによって支えられるように前端部が前記前パネルに接合し後端部が前記臀部カバー部に接合していることを特徴とする前記おむつ。
【００３２】
上記の段落に開示したこの発明は、少なくとも下記の実施の形態を含むことができる。該実施の形態は、分離して又は互いに組み合わせて採択することができる。
（１）前記後パネルは、前記両側部が前記前パネルに接合している主要部と前記臀部カバー部とを有し、前記弾性部材を挟んで前記おむつの内側と外側とにあって前記主要部を形成しているシート片のうちの前記内側または前記外側にある前記シート片が前記下方へ延びることによって前記臀部カバー部を形成している。
（２）前記シート片が不織布、プラスチックフィルムおよび不織布とプラスチックフィルムとの積層シートのいずれかで形成されている。
（３）前記後パネルは前記両側部が前記前パネルに接合している主要部と前記臀部カバー部とを有し、前記主要部とは別体である不織布、プラスチックフィルムおよび不織布とプラスチックフィルムとの積層シートのいずれかのシート片が前記主要部に接合することにより前記臀部カバー部を形成している。
（４）前記臀部カバー部は、前記主要部の前記両側部に届くように前記横方向へ延びている。
（５）前記臀部カバー部は、前記後パネルの前記両側部間の寸法を二等分する中心線を挟んで離間対向するように二分されている。
（６）前記おむつの前記上下方向において、前記股下パネルは前記臀部カバー部に接合している前記後端部を越えて前記上方向へ延びていて、前記臀部カバー部に接合する下方接合部と前記主要部に接合する上方接合部とを有し、前記後パネル上における前記下方接合部と前記上方接合部との離間距離よりも、前記股下パネル上における前記下方接合部と前記上方接合部との離間距離の方が長くて、前記股下パネルの前記下方接合部と前記上方接合部との間にはたるみが生じている。
（７）前記臀部カバー部が弾性的な伸長性を有するシート片によって形成されている。
（８）前記主要部は、前記臀部カバー部を形成している前記シート片と重なる部位に前記横方向へ伸長された状態の弾性部材を有する。
（９）前記股下パネルは前記横方向の両側部分に防漏堤を有し、前記防漏堤は前記前パネルから前記股下域を経て前記後パネルにまで延びていて、弾性的に伸長、収縮する自由縁部を有し、前記自由縁部が前記前パネルと前記後パネルとにおいては、前記股下パネルの内面に対して倒伏した状態で固定されている前端部と後端部とを有し、前記前端部と前記後端部とは、前記おむつの上下方向において、前記股下パネルと前記前パネルとの接合部位および前記股下パネルと前記後パネルとの接合部位のそれぞれよりも上方に位置している。
（９）前記股下パネルは前記横方向の両側部分に防漏堤を有し、前記防漏堤は前記前パネルから前記股下域を経て前記後パネルにまで延びていて、前記前パネルに重なる前端部と前記後パネルに重なる後端部とを有し、前記後端部は、前記おむつの上下方向において、前記臀部カバー部の下端縁よりも上方で前記股下パネルの内面および前記後パネルの内面のいずれかに固定されている。
【符号の説明】
【００３３】
７    前胴回り域
８    後胴回り域
９    股下域
１０    パンツ型おむつ
１２    股下パネル
１３    前パネル
１３ａ    側部
１４    後パネル
１４ａ    側部
３３    弾性部材
３５    主要部
３７    下端縁
４０    臀部カバー部
４０Ｌ，４０Ｒ    臀部カバー部
４１    前端部
４２    後端部
４７    防漏堤
５０    内面シート
５５    芯材
７７    下方接合域
８１    上方接合域
Ａ    縦方向
Ｂ    横方向
Ｃ    前後方向
Ｍ１，Ｍ２    離間距離
Ｐ    中心線
【図１】
2015066356.tif 000003
【図２】
2015066356.tif 000004
【図３】
2015066356.tif 000005
【図４】
2015066356.tif 000006
【図５】
2015066356.tif 000007
【図６】
2015066356.tif 000008
【図７】
2015066356.tif 000009
【図８】
2015066356.tif 000010
【図９】
2015066356.tif 000011